(57)【要約】      （修正有）【課題】ドアの剛性を確保しつつ、ドアとリーダーテープとの干渉を回避できる記録テープカートリッジの提供。【解決手段】  単一のリールを回転可能に収容するケース１２の側壁１２Ｂに沿って配置されるリーダーテープ２２と、リーダーテープ２２を引き出すための開口を開閉するドア３０と、そのドア３０が開口を閉塞したとき、リーダーテープ２２の先端面２２Ｃとドア３０との接触を回避させる許容部４４に形成され、リーダーテープ２２のドライブ装置の引出部材が係合する孔部２２Ａよりも先方の先端部分に当接し、その先端部分を側壁１２Ｂから遠ざける方向へ厚肉とされたガイド部４４Ａと、を備えた記録テープカートリッジ１０であって、ドア３０が開口を閉塞したとき、リーダーテープ２２の先端面２２Ｃと、許容部４４の最奥面４４Ｂとの間に、０．５ｍｍ以上のクリアランスＣ１が確保される構成とする。【選択図】図３
2005235369.tif 000002
【特許請求の範囲】
【請求項１】
記録テープが巻装された単一のリールを回転可能に収容するケースと、
前記記録テープの端部に取り付けられ、前記ケースの側壁に沿って配置されるリーダーテープと、
前記ケースの前壁と前記側壁とに跨るコーナー部に形成され、前記リーダーテープを引き出すための開口と、
最薄肉部の厚さが、０．６ｍｍ以上とされ、前記前壁側に設けられた支軸を中心に回動して前記開口を開閉するドアと、
最奥面が平断面視で円弧状となるように前記ドアに形成され、該ドアが前記開口を閉塞したとき、前記リーダーテープの先端面と該ドアとの接触を回避させる許容部と、
前記許容部に形成され、前記リーダーテープのドライブ装置の引出部材が係合する孔部よりも先方の先端部分に当接し、該先端部分を前記側壁から遠ざける方向へ厚肉とされたガイド部と、
を備え、
前記ドアが前記開口を閉塞したとき、前記リーダーテープの先端面と、前記許容部の最奥面との間に、所定のクリアランスが確保される構成としたことを特徴とする記録テープカートリッジ。
【請求項２】
記録テープが巻装された単一のリールを回転可能に収容するケースと、
前記記録テープの端部に取り付けられ、前記ケースの側壁に沿って配置されるリーダーテープと、
前記ケースの前壁と前記側壁とに跨るコーナー部に形成され、前記リーダーテープを引き出すための開口と、
最薄肉部の厚さが、０．６ｍｍ以上とされ、前記前壁側に設けられた支軸を中心に回動して前記開口を開閉するドアと、
最奥面が平断面視で円弧状となるように前記ドアに形成され、該ドアが前記開口を閉塞したとき、前記リーダーテープの先端面と該ドアとの接触を回避させる許容部と、
前記許容部に形成され、前記リーダーテープのドライブ装置の引出部材が係合する孔部よりも先方の先端部分に当接し、該先端部分を前記側壁から遠ざける方向へ厚肉とされたガイド部と、
を備え、
前記ドアが前記開口を閉塞したとき、前記リーダーテープの先端面と、前記許容部の最奥面との間に、０．５ｍｍ以上のクリアランスが確保される構成としたことを特徴とする記録テープカートリッジ。
【発明の詳細な説明】
【技術分野】
【０００１】
本発明は、主にコンピューター等の記録再生媒体として使用される磁気テープ等の記録テープが巻装された単一のリールをケース内に収容してなる記録テープカートリッジに関する。
【背景技術】
【０００２】
従来から、コンピューター等のデータ記録再生媒体として使用されている磁気テープ等の記録テープを単一のリールに巻装し、そのリールをケース内に回転可能に収容してなる記録テープカートリッジが知られている。この記録テープカートリッジのケースは、略トレイ状の上ケースと下ケースとが、互いの周壁を当接させた状態で接合されてなる略矩形箱状に形成されている。
【０００３】
また、このような記録テープカートリッジにあっては、記録テープの端部に、リーダーテープ、リーダーピン、リーダーブロック等のリーダー部材が固着されている。そして、このリーダー部材をドライブ装置の引出部材（図示省略）が引き出すことにより、記録テープがケース内から引き出されるが、その引出部材は、記録テープカートリッジを装填する装填口の側部に設けられることが多い。そのため、記録テープカートリッジのリーダー部材（記録テープ）引出用の開口は、ケースのコーナー部に形成されることが多い。
【０００４】
また、リーダー部材がリーダーテープ、リーダーピンの場合には、開口を開閉するドアが設けられる。すなわち、リーダーテープの場合には、例えば前壁側に設けられた支軸を中心に回動可能に支持されたドアによって、開口が開閉されるように構成され（例えば、特許文献１参照）、リーダーピンの場合には、例えば側壁側でスライド可能に支持されたドアによって、開口が開閉されるように構成される。
【特許文献１】特開２０００−１１５９１号公報
【発明の開示】
【発明が解決しようとする課題】
【０００５】
ところで、リーダー部材がリーダーテープの場合、そのリーダーテープはケースの側壁に沿って配置されることがある。この場合、ドライブ装置の引出部材は、その側壁側からリーダーテープに係合する（リーダーテープを掴む）ため、リーダーテープ（記録テープ）引出用の開口は、ケースのコーナー部から側壁にかけて形成されることになる。
【０００６】
しかしながら、このとき、リーダーテープがケースの後寄りに配置されていると、側壁に形成する開口の長さが後方に向かって延長されるので、ドアの長さがその分長くなってしまうという問題が起きる。つまり、開口を開放させるために、ドアが回動したときには、そのドアがドライブ装置の引出部材等と干渉してしまい、結果的に開放不能になってしまうという問題が起きる。したがって、リーダーテープは、その先端面がなるべくコーナー部に近接するように、前寄りに配置されることが好ましい。
【０００７】
ところが、リーダーテープが前寄りに配置されると、今度は、そのリーダーテープがドアに干渉（接触）してしまうという問題が起きる。すなわち、リーダーテープは、その先端近傍に形成された張出部が、上ケース及び下ケースに形成された収納凹部に収納（挿入）されて保持されるが、ドアが開口を閉塞したとき、リーダーテープの先端面が、そのドアに干渉（接触）するような位置に保持されると、リーダーテープは、記録テープ（磁気テープ）よりも剛性を有しているので、その張出部が記録テープの長手方向後側に力を伝達して収納凹部の閉塞された後壁面を押圧してしまい、リーダーテープの先端部分がドアと収納凹部との間に挟まれて変形してしまうという問題が起きる。
【０００８】
そのため、図６で示すように、開口閉塞時に、リーダーテープ５２の先端面５２Ｃとドア５０との接触を回避させる平断面視凹状の許容部５４を、そのドア５０の内面に形成している。つまり、このような許容部５４を形成することにより、開口閉塞時において、リーダーテープ５２の先端面５２Ｃとドア５０の内面（許容部５４）との間に、０．２ｍｍ程度のクリアランスＣ２が確保されるようにして、リーダーテープ５２とドア５０との干渉（接触）を回避するようにしている。
【０００９】
しかしながら、開口閉塞時において、ドア５０のケースに対する前後方向のがたつきは０．２ｍｍ程度になっている。したがって、上記クリアランスＣ２を確保しても、落下等によりドア５０に衝撃が加えられた場合には、リーダーテープ５２の先端面５２Ｃがドア５０の内面（許容部５４）に干渉（接触）してしまうおそれがあった。
【００１０】
だからといって、許容部５４をこれ以上深く形成することは、ドア５０の剛性を損ねる結果になるのでできない。すなわち、ドア５０は、開口閉塞時に、平面視でケースより突出しないように、その板厚が一定に決められているので、許容部５４を形成したことにより、ドア５０の最薄肉部の板厚Ｄ２は、既に０．６ｍｍ未満になっている。したがって、これ以上許容部５４を深く形成すると、今度はドア５０の剛性を確保することができなくなってしまう。
【００１１】
そこで、本発明は、ドアの剛性を確保しつつ、ドアとリーダーテープとの干渉を確実に回避できる記録テープカートリッジを得ることを目的とする。
【課題を解決するための手段】
【００１２】
上記の目的を達成するために、本発明に係る請求項１に記載の記録テープカートリッジは、記録テープが巻装された単一のリールを回転可能に収容するケースと、前記記録テープの端部に取り付けられ、前記ケースの側壁に沿って配置されるリーダーテープと、前記ケースの前壁と前記側壁とに跨るコーナー部に形成され、前記リーダーテープを引き出すための開口と、最薄肉部の厚さが、０．６ｍｍ以上とされ、前記前壁側に設けられた支軸を中心に回動して前記開口を開閉するドアと、最奥面が平断面視で円弧状となるように前記ドアに形成され、該ドアが前記開口を閉塞したとき、前記リーダーテープの先端面と該ドアとの接触を回避させる許容部と、前記許容部に形成され、前記リーダーテープのドライブ装置の引出部材が係合する孔部よりも先方の先端部分に当接し、該先端部分を前記側壁から遠ざける方向へ厚肉とされたガイド部と、を備え、前記ドアが前記開口を閉塞したとき、前記リーダーテープの先端面と、前記許容部の最奥面との間に、所定のクリアランスが確保される構成としたことを特徴としている。
【００１３】
そして、本発明に係る請求項２に記載の記録テープカートリッジは、記録テープが巻装された単一のリールを回転可能に収容するケースと、前記記録テープの端部に取り付けられ、前記ケースの側壁に沿って配置されるリーダーテープと、前記ケースの前壁と前記側壁とに跨るコーナー部に形成され、前記リーダーテープを引き出すための開口と、最薄肉部の厚さが、０．６ｍｍ以上とされ、前記前壁側に設けられた支軸を中心に回動して前記開口を開閉するドアと、最奥面が平断面視で円弧状となるように前記ドアに形成され、該ドアが前記開口を閉塞したとき、前記リーダーテープの先端面と該ドアとの接触を回避させる許容部と、前記許容部に形成され、前記リーダーテープのドライブ装置の引出部材が係合する孔部よりも先方の先端部分に当接し、該先端部分を前記側壁から遠ざける方向へ厚肉とされたガイド部と、を備え、前記ドアが前記開口を閉塞したとき、前記リーダーテープの先端面と、前記許容部の最奥面との間に、０．５ｍｍ以上のクリアランスが確保される構成としたことを特徴としている。
【００１４】
請求項１又は請求項２に記載の発明では、ドアが開口を閉塞したとき、リーダーテープの先端面と、許容部の最奥面との間に、所定（０．５ｍｍ以上）のクリアランスが確保されるので、ケースに対するドアのがたつきを考慮しても、リーダーテープの先端面がドアに接触することはない。つまり、両者の干渉は確実に回避される。
【００１５】
しかも、その許容部には、当接したリーダーテープの先端部分を側壁から遠ざける方向へ厚肉とされたガイド部が形成されているので、その許容部は比較的浅く形成される。したがって、その許容部が形成されているドアの最薄肉部の板厚を０．６ｍｍ以上と厚く成形することが可能となり、ドアの剛性が確保される。
【００１６】
また、ガイド部が当接するリーダーテープの先端部分は、ドライブ装置の引出部材が係合する孔部よりも先方であるので、ドライブ装置の引出部材がリーダーテープの孔部に係合できなくなるような不具合は起きない。更に、許容部の最奥面が平断面視で円弧状に形成されているので、金型で樹脂製のドアを成形する場合、その部分がアンダーカットにならない。したがって、ドアの成形が容易にできる。
【発明の効果】
【００１７】
以上のように、本発明によれば、ドアの剛性を確保しつつ、ドアとリーダーテープとの干渉を確実に回避できる記録テープカートリッジを提供することができる。
【発明を実施するための最良の形態】
【００１８】
以下、本発明の実施の形態を図面に示す実施例を基に詳細に説明する。なお、説明の便宜上、記録テープカートリッジのドライブ装置への装填方向を矢印Ａで表し、それを前方向とする。また、矢印Ｂを左方向とし、それらを基準に前後・左右・上下の表現をするが、図中に左右を表す矢印ＬＥ、矢印ＲＩが示されている場合は、それに合わせて左右の表現をする。
【００１９】
図１で示すように、記録テープカートリッジ１０は、略矩形箱状のケース１２を有している。このケース１２は、ＰＣ等の樹脂製の上ケース１４と下ケース１６とが、互いの周壁１４Ａ、１６Ａを当接させた状態で超音波溶着又はねじ止め等により接合されて構成されている。
【００２０】
また、図２で示すように、ケース１２の内部には単一のリール１８が回転可能に収容されている。リール１８には、情報記録再生媒体としての磁気テープ等の記録テープＴが巻装されている。また、リール１８の下面にはリールギア（図示省略）が環状に形成されており、下ケース１６に穿設されたギア開口（図示省略）から露出するようになっている。
【００２１】
記録テープカートリッジ１０の左前方側のコーナー部１２Ｃ付近には、リール１８に巻装された記録テープＴを外部に引き出すための開口２０が形成されている。すなわち、コーナー部１２Ｃに隣接する前壁１２Ａと左側壁１２Ｂとに跨って開口２０が形成され、その開口２０から、記録テープＴの端部に固着され、左側壁１２Ｂに沿って配置されたリーダーテープ２２が引き出されるようになっている。
【００２２】
ここで、本発明におけるコーナー部とは、略矩形箱状ケース１２の周壁１４Ａ、１６Ａにおいて、平面視で略直角又は鈍角に交わる稜線部分を指す。したがって、この場合のコーナー部１２Ｃとは、前壁１２Ａと左側壁１２Ｂとが平面視で略直角に交わっている稜線部分を指している。なお、開口２０は、右前方側のコーナー部１２Ｄ付近に設けられる場合もある。
【００２３】
また、リーダーテープ２２は、ドライブ装置の引出部材（図示省略）が記録テープＴを引き出すために係合する被引出部材であり、その先端近傍には引出部材が係合する孔部２２Ａが穿設されている。そして、その孔部２２Ａの先端よりも若干後方側（リーダーテープ２２の先端近傍）の上下両サイドには、それぞれ上下方向に向かって張り出す張出部２２Ｂが形成されている。
【００２４】
この張出部２２Ｂが、上ケース１４の内面及び下ケース１６の内面にそれぞれ形成された収納凹部２４に収納（挿入）されることにより、リーダーテープ２２がケース１２内に保持されるようになっている。すなわち、この収納凹部２４は、図２、図３で示すように、左側壁１２Ｂに沿って形成され、前方側が開口２０に臨んで開放され、後方側が後壁２４Ａによって閉塞されている。したがって、リーダーテープ２２は、その張出部２２Ｂが後壁２４Ａによって位置規制された状態で、左側壁１２Ｂに沿って配置される。
【００２５】
また、図１乃至図３で示すように、開口２０は、記録テープカートリッジ１０の不使用時にはドア３０によって閉塞される。このドア３０は、開口２０と略同じ形状及び大きさの平面視略「Ｌ」字状に形成されている。なお、このドア３０は、ＰＯＭ等のオレフィン系樹脂で成形されるのが好ましいが、ＰＣ等の樹脂やＳＵＳ等の金属で成形してもよい。
【００２６】
また、そのドア３０の回動支点となる支軸２６が、上ケース１４及び下ケース１６の前壁１２Ａ側にそれぞれ突設されている。この支軸２６は、上ケース１４側が円筒状のボス２６Ａになっており、下ケース１６側が円柱状のボス２６Ｂになっている。そして、下ケース１６側のボス２６Ｂの先端（上端）が、上ケース１４側のボス２６Ａに嵌入することにより、支軸２６が構成されるようになっている。したがって、ボス２６Ｂの径がボス２６Ａの径よりも若干小さくなっている。
【００２７】
また、ドア３０の内面の右端部近傍（右端部より所定距離左方へずれた位置）には、平板状の回転摺動部３２、３４、３６が３本平行に突設されている。この回転摺動部３２、３４、３６は、ドア３０の内面の上下両端部と、中央より若干下方へずれた中途部とからそれぞれ突設され、各回転摺動部３２、３４、３６には、支軸２６に遊嵌される貫通孔３２Ａ、３４Ａ、３６Ａが穿設されている（図５参照）。したがって、各貫通孔３２Ａ、３４Ａ、３６Ａに支軸２６が挿通されることにより、ドア３０が回動可能に支持される。
【００２８】
また、上端部の回転摺動部３２の上面と、下端部の回転摺動部３４の下面には、それぞれ貫通孔３２Ａ、３４Ａ周りに環状凸部３８が形成されている。そして、この環状凸部３８が、それぞれ上ケース１４と下ケース１６に接触することにより、ドア３０の上端面３０Ａと上ケース１４との間、及びドア３０の下端面３０Ｂと下ケース１６との間に、それぞれ０．３ｍｍ〜０．５ｍｍ程度の隙間が形成されるようにしている。なお、回転摺動部３２、３４、３６間のドア３０の内面には、支軸２６の周面に沿った平断面視円弧状の隆起部４０が形成されている。
【００２９】
また、支軸２６には、ドア３０を常時開口２０の閉塞方向へ付勢するトーションばね２８の巻回部２８Ａが挿嵌されている。すなわち、このトーションばね２８の巻回部２８Ａは、下端部の回転摺動部３４と中途部の回転摺動部３６の間に保持された状態で、径が細い方のボス２６Ｂに挿嵌されて取り付けられている。そして、トーションばね２８の一方の端部２８Ｂ側は、ケース１２のビスボス４６（下ケース１６に突設されたビスボス）に係止され、他方の端部２８Ｃ側は、回転摺動部３４、３６間における隆起部４０の右側の縁端部に係止されている。
【００３０】
また、図３、図４で示すように、ドア３０の屈曲された部分（ケース１２のコーナー部１２Ｃとされる部分）の内面には、開口２０を閉塞したときに、リーダーテープ２２の先端部分（孔部２２Ａよりも先方）が入り込む袋状の許容部４４が形成されている。この許容部４４は、図５で示すように、平断面視で左側の内面が若干右方向へ傾倒した（角度θ傾斜した）テーパー面となるように厚肉に形成されたガイド部４４Ａを有している。そして、その許容部４４の最も奥にある内面（以下「最奥面」という）４４Ｂが、平断面視で円弧状をなす円弧面とされている。
【００３１】
したがって、開口２０の閉塞時、リーダーテープ２２の先端部分は、その左側面がガイド部４４Ａに当接することにより、左側壁１２Ｂから遠ざかる方向（離間する方向）へ若干変位させられる（撓まされる）が、このようなガイド部４４Ａを設ければ、許容部４４の深さを比較的浅く形成することが可能となる。
【００３２】
つまり、図６で示したドア５０の許容部５４のように、左側の内面５４Ａが左側壁１２Ｂと平行な面、即ち前壁１２Ａに対して垂直な面になっている場合よりも、許容部４４の深さを浅く形成することが可能となるので、その許容部４４を形成したことによって最も薄肉となる最奥面４４Ｂ部分の板厚Ｄ１、即ちドア３０の最薄肉部の板厚Ｄ１を０．６ｍｍ以上、この場合は０．６ｍｍ〜０．９ｍｍ、好ましくは０．６ｍｍ〜１．５ｍｍ、更に好ましくは０．６ｍｍ〜２．０ｍｍ程度まで確保することが可能となる。したがって、ドア３０の剛性を充分に確保することができる。
【００３３】
また、開口２０の閉塞時、リーダーテープ２２の先端面２２Ｃは、許容部４４の最奥面４４Ｂに常に接触しないように構成されている。つまり、図３、図５で示すように、リーダーテープ２２の先端面２２Ｃと、許容部４４の最奥面４４Ｂとの間には、所定のクリアランスＣ１が常時確保されるようになっている。このクリアランスＣ１は、０．５ｍｍ以上とされており、落下等によってドア３０に衝撃が加えられても、その最奥面４４Ｂが、リーダーテープ２２の先端面２２Ｃに干渉（接触）することがないようにされている。
【００３４】
すなわち、ドア３０はケース１２に対して０．２ｍｍ程度のがたつき（回動方向の遊び）をもって開口２０を閉塞しているため、落下等によりドア３０に衝撃が加わった場合等には、そのドア３０は、０．２ｍｍ程度、更に開口２０の閉塞方向へ回動することがある。したがって、このような場合でも、リーダーテープ２２の先端面２２Ｃに、ドア３０の最奥面４４Ｂが干渉（接触）することがないように、両者のクリアランスＣ１が０．５ｍｍ以上とされている。
【００３５】
以上のような構成の記録テープカートリッジ１０において、次に、その作用について説明をする。記録テープカートリッジ１０は、不使用時（ドライブ装置に装填しないとき）には、ドア３０が開口２０を閉塞している。また、リーダーテープ２２は、その張出部２２Ｂが収納凹部２４内に収納（挿入）されて保持されることにより、左側壁１２Ｂに沿って配置されている。そして、このとき、リーダーテープ２２の先端部分、即ち張出部２２Ｂよりも先方側、好ましくは孔部２２Ａよりも先方側が、許容部４４内に入り込み、ガイド部４４Ａによって、左側壁１２Ｂから遠ざかる（離間される）方向へ若干変位させられている（撓まされている）。
【００３６】
つまり、このガイド部４４Ａは、図５で示すように、平断面視でリーダーテープ２２の先端部分を左側壁１２Ｂから遠ざける方向へ厚肉に形成され（許容部４４の左側の内面が若干右方向へ傾倒した（角度θ傾斜した）テーパー面に形成され）、許容部４４の深さが比較的浅くなるように形成されている。したがって、その許容部４４の最奥面４４Ｂにおけるドア３０の最薄肉部の板厚Ｄ１を０．６ｍｍ以上、この場合は０．６ｍｍ〜０．９ｍｍ、好ましくは０．６ｍｍ〜１．５ｍｍ、更に好ましくは０．６ｍｍ〜２．０ｍｍ程度まで確保することが可能であり、これによって、ドア３０の剛性が充分に確保される。
【００３７】
また、このとき、そのガイド部４４Ａによって変位させられた（撓まされた）リーダーテープ２２の先端面２２Ｃと、許容部４４の最奥面４４Ｂとの間には、所定のクリアランスＣ１が確保されている。具体的には、クリアランスＣ１＝０．５ｍｍ以上とされている。したがって、落下等による衝撃がドア３０に加わっても、リーダーテープ２２の先端面２２Ｃがドア３０の最奥面４４Ｂに干渉（接触）することはない。
【００３８】
つまり、ドア３０のケース１２に対するがたつき（回動方向の遊び）は０．２ｍｍ程度なので、衝撃によりドア３０が更に開口２０の閉塞方向へ回動しても、その最奥面４４Ｂは０．２ｍｍ程度までしかリーダーテープ２２の先端面２２Ｃに接近しない。したがって、ドア３０の最奥面４４Ｂとの間に０．５ｍｍ以上のクリアランスＣ１が確保されているリーダーテープ２２の先端面２２Ｃが、その最奥面４４Ｂに干渉（接触）することはなく、リーダーテープ２２がドア３０と収納凹部２４との間で挟まれて変形してしまうような不具合は起きない。
【００３９】
また、落下等による衝撃がケース１２のコーナー部１２Ｃ付近に加えられた場合、その衝撃力は、支軸２６ではなく、ビスボス４６で受け止められる。つまり、ビスボス４６が支軸２６とは独立して設けられ、かつ、その支軸２６の近傍に配置されているので、落下等によって生じる衝撃力は、ビスボス４６で受け止められ、支軸２６には直接伝達されないようにできる。したがって、支軸２６の破損や変形等を防止することができる。
【００４０】
さて、記録テープカートリッジ１０の記録テープＴにデータを記録、又は記録テープカートリッジ１０の記録テープＴに記録されたデータを再生する際には、その記録テープカートリッジ１０をドライブ装置（図示省略）へ装填する。すなわち、ドライブ装置の装填口（図示省略）に記録テープカートリッジ１０を前壁１２Ａ側から挿入する。
【００４１】
すると、その装填に伴って、ドライブ装置の開閉部材（図示省略）が相対的にドア３０の右端部へ接近、当接して、その右端部を押圧する。開閉部材がドア３０の右端部を押圧すると、ドア３０は、トーションばね２８の付勢力に抗して支軸２６を中心に図３で示す矢印方向（時計方向）へ回動し、開口２０を開放する。
【００４２】
なお、このとき、ドア３０の上端面３０Ａと上ケース１４の間、及びドア３０の下端面３０Ｂと下ケース１６との間には、それぞれ環状凸部３８によって０．３ｍｍ〜０．５ｍｍ程度の隙間が形成されている。つまり、ドア３０において、上ケース１４及び下ケース１６と接触しているのは、環状凸部３８だけとなっている。したがって、ドア３０は摺動抵抗少なく回動できる。
【００４３】
また、そのドア３０において、少なくとも回転摺動部３２、３４、３６及び環状凸部３８は、ＰＯＭ等のオレフィン系樹脂で成形することが望ましい。これによれば、ＰＣ等の樹脂で成形されている上ケース１４及び下ケース１６に対する摺動抵抗を更に低減することができるとともに、支軸２６に対する摺動抵抗も低減することができる。
【００４４】
また、トーションばね２８の巻回部２８Ａは、回転摺動部３４、３６の間に配置されているので、その回転摺動部３４、３６がＰＯＭ等のオレフィン系樹脂で成形されていると、ＰＣ等の樹脂で成形されるケース１２よりも削られ難くなる。つまり、トーションばね２８の巻回部２８Ａが、ドア３０の回動によって摺動しても、摩耗粉等が発生し難くなる。したがって、記録テープＴに対して悪影響を与えることがなくなる。
【００４５】
また、許容部４４の最奥面４４Ｂが平断面視で円弧状（円弧面）に形成されているので、ドア３０を樹脂で成形した場合、その許容部４４がアンダーカットになることはない。したがって、袋状の許容部４４を有するドア３０を、射出成形用金型で容易に成形することができる。
【００４６】
何れにしても、このようなドア３０が回動して開口２０が開放されると、リーダーテープ２２の先端部分（左側面）は、ガイド部４４Ａから離間する。すると、その先端部分は、リーダーテープ２２自体が有する弾性により、元の真っ直ぐな状態に復元する。そして、ドライブ装置の引出部材（図示省略）が左側壁１２Ｂ側から開口２０に接近し、リーダーテープ２２の孔部２２Ａと係合する。
【００４７】
このとき、リーダーテープ２２の孔部２２Ａを含む後方側は、左側壁１２Ｂに極めて接近した状態で待機しているので、その引出部材は確実に孔部２２Ａに係合できる。つまり、ガイド部４４Ａによって変位させられる（撓まされる）リーダーテープ２２の先端部分は、孔部２２Ａよりも先方側なので、孔部２２Ａに対する引出部材の係合不良等は起きない。
【００４８】
こうして、引出部材が孔部２２Ａに係合したら、その引出部材が開口２０から離間することにより、リーダーテープ２２がケース１２内から引き出される。そして、ケース１２内から引き出されたリーダーテープ２２は、ドライブ装置の巻取リール（図示省略）に巻回される。
【００４９】
一方、記録テープカートリッジ１０のリール１８のリールギア（図示省略）には、ドライブ装置の駆動ギア（図示省略）がギア開口（図示省略）から進入して噛合している。したがって、その巻取リールとリール１８が同期して回転することにより、記録テープＴが順次ドライブ装置側へ送り出され、そのドライブ装置の記録再生ヘッド（図示省略）によって、記録テープＴにデータの記録、又は記録テープＴに記録されたデータの再生が行われる。
【００５０】
その後、記録テープカートリッジ１０をドライブ装置から取り出すときには、まず、リール１８が巻き戻されてリーダーテープ２２が巻取リールから外され、開口２０からケース１２内に戻される。そして、その張出部２２Ｂが収納凹部２４内に収納（挿入）されて、ケース１２内の所定位置に保持される。また、リールギアと駆動ギアとの噛合が解除された後、記録テープカートリッジ１０が装填口から排出されるが、この排出動作に伴って、開閉部材がドア３０の右端部から離間する。
【００５１】
すると、ドア３０はトーションばね２８の付勢力によって、支軸２６を中心に図３で示す矢印とは反対の方向（反時計方向）へ回動して、開口２０を閉塞する。そして、許容部４４内にリーダーテープ２２の先端部分、即ち張出部２２Ｂよりも先方側、好ましくは孔部２２Ａよりも先方側が入り込み、ガイド部４４Ａによって、その先端部分が左側壁１２Ｂから遠ざかる（離間する）方向へ変位させられる（撓まされる）。
【００５２】
ここで、そのリーダーテープ２２の先端部分の変位量（撓み量）は極めて僅少である。つまり、ガイド部４４Ａの傾斜角度θを増加させればさせるほど（リーダーテープ２２の先端部分の変位量（撓み量）を増加させればさせるほど）、許容部４４の深さを浅く形成することができ、ドア３０の最薄肉部の板厚Ｄ１を厚く形成することができるが、ドライブ装置の引出部材は、記録テープカートリッジ１０の構造上、そのケース１２の内部まで深く進入できないため、リーダーテープ２２は、開口２０が形成されている左側壁１２Ｂに極めて近接して配置されることが望ましい。
【００５３】
したがって、変位させる（撓ませる）リーダーテープ２２の先端部分は、引出部材が係合する孔部２２Ａよりも先方側であることが望ましく、かつ、その変位量（撓み量）も孔部２２Ａに対する引出部材の係合に悪影響が生じない程度に僅少であることが望ましい。
【図面の簡単な説明】
【００５４】
【図１】記録テープカートリッジの概略斜視図
【図２】同上の開口付近の概略斜視図
【図３】同上の開口付近の概略平断面図
【図４】ドアに形成された許容部を示す概略斜視図
【図５】ドアの概略平面図
【図６】別のドアの概略平面図
【符号の説明】
【００５５】
１０  記録テープカートリッジ
１２  ケース
１２Ａ  前壁
１２Ｂ  左側壁
１２Ｃ  コーナー部
１８  リール
２０  開口
２２  リーダーテープ
２２Ａ  孔部
２２Ｂ  張出部
２２Ｃ  先端面
２４  収納凹部
２６  支軸
３０  ドア
３２〜３６  回転摺動部
３８  環状凸部
４０  隆起部
４４  許容部
４４Ａ  ガイド部
４４Ｂ  最奥面
４６  ビスボス
【図１】
2005235369.tif 000003
【図２】
2005235369.tif 000004
【図３】
2005235369.tif 000005
【図４】
2005235369.tif 000006
【図５】
2005235369.tif 000007
【図６】
2005235369.tif 000008